(57)【要約】【課題】アクセサリ同士の連結を制限することが可能なアクセサリを提供する。【解決手段】カメラ本体（１）とレンズ装置（２）との間に装着可能なアクセサリ（３）であって、レンズ装置（２）に装着可能な第１のマウント部（３１）と、カメラ本体（１）に装着可能な第２のマウント部（３２）と、第１のマウント部（３１）および第２のマウント部（３２）のそれぞれに設けられ、アクセサリ（３）と他のアクセサリとの連結を制限する連結制限部材（３２ａ、３３）とを有する。【選択図】図１
2020060637.tif 000002
【特許請求の範囲】
【請求項１】
カメラ本体とレンズ装置との間に装着可能なアクセサリであって、
前記レンズ装置に装着可能な第１のマウント部と、
前記カメラ本体に装着可能な第２のマウント部と、
前記第１のマウント部および前記第２のマウント部のそれぞれに設けられ、前記アクセサリと他のアクセサリとの連結を制限する連結制限部材と、を有することを特徴とするアクセサリ。
【請求項２】
前記連結制限部材は、前記アクセサリと他のアクセサリとを接触した状態で互いの回転を規制する回転規制部であることを特徴とする請求項１に記載のアクセサリ。
【請求項３】
前記回転規制部は、
前記第１のマウント部に設けられた第１の凸部と、
前記第１の凸部をレンズ装置側へ向けて付勢する第１の付勢部材と、
前記第２のマウント部に設けられた第１の凹部と、を有し、
前記アクセサリと他のアクセサリとを接触した状態で互いに回転する際に、前記アクセサリの前記第１の凹部は、前記アクセサリの前記第１の凸部に対応する他のアクセサリの凸部に当接することにより、前記アクセサリと他のアクセサリとの連結を制限することを特徴とする請求項２に記載のアクセサリ。
【請求項４】
前記回転規制部は、
前記第２のマウント部に設けられた第２の凸部と、
前記第２の凸部をカメラ本体側へ向けて付勢する第２の付勢部材と、
前記第１のマウント部に設けられた第２の凹部と、を有し、
前記アクセサリと他のアクセサリとを接触した状態で互いに回転する際に、前記アクセサリの前記第２の凹部は、前記アクセサリの前記第２の凸部に対応する他のアクセサリの凸部に当接することにより、前記アクセサリと他のアクセサリとの連結を制限することを特徴とする請求項２に記載のアクセサリ。
【請求項５】
カメラ本体とレンズ装置との間に装着可能なアクセサリであって、
外装環と、
前記レンズ装置に装着可能な第１のマウント部と、
前記カメラ本体に装着可能な第２のマウント部と、
前記外装環からカメラ本体側またはレンズ装置側に向けて突出し、前記アクセサリと他のアクセサリとの連結を制限する第３の凸部と、有することを特徴とするアクセサリ。
【請求項６】
前記第３の凸部は、前記アクセサリが他のアクセサリと接触する際に他のアクセサリと干渉することにより、前記アクセサリと他のアクセサリとの連結を制限することを特徴とする請求項５に記載のアクセサリ。
【請求項７】
前記アクセサリは、前記カメラ本体および前記レンズ装置のそれぞれと電気的に接続可能であることを特徴とする請求項１乃至６のいずれか１項に記載のアクセサリ。
【請求項８】
カメラ本体と、
レンズ装置と、
請求項１乃至７のいずれか１項に記載のアクセサリと、を有することを特徴とするカメラシステム。
【請求項９】
カメラ本体と、
レンズ装置と、
請求項３に記載のアクセサリと、を有し、
前記レンズ装置のレンズマウント部には前記第１の凹部に対応する凹部が形成されておらず、前記アクセサリと前記レンズ装置とを接触した状態で互いに回転する際に、前記第１の凸部は、前記第１の付勢部材に抗して押し込まれていることを特徴とするカメラシステム。
【請求項１０】
カメラ本体と、
レンズ装置と、
請求項４に記載のアクセサリと、を有し、
前記カメラ本体のカメラマウント部には前記第２の凹部に対応する凹部が形成されておらず、前記アクセサリと前記カメラ本体とを接触した状態で互いに回転する際に、前記第２の凸部は、前記第２の付勢部材に抗して押し込まれていることを特徴とするカメラシステム。
【請求項１１】
カメラ本体と、
レンズ装置と、
請求項５または６に記載のアクセサリと、を有し、
前記レンズ装置のレンズマウント部には、前記第３の凸部との干渉を避けるための第３の凹部が形成されていることを特徴とするカメラシステム。
【請求項１２】
カメラ本体と、
レンズ装置と、
請求項５または６に記載のアクセサリと、を有し、
前記カメラ本体のカメラマウント部には、前記第３の凸部との干渉を避けるための第４の凹部が形成されていることを特徴とするカメラシステム。
【請求項１３】
カメラ本体と、
レンズ装置と、
前記カメラ本体と前記レンズ装置との間に装着可能なアクセサリと、を有するカメラシステムであって、
前記アクセサリは、前記レンズ装置に装着可能な第１のマウント部と、前記カメラ本体に装着可能な第２のマウント部と、を有し、
前記レンズ装置は、前記アクセサリの前記第１のマウント部と嵌り合う構造を有するレンズマウント部を有し、
前記カメラ本体は、前記アクセサリの前記第２のマウント部と嵌り合う構造を有するカメラマウント部を有し、
前記第２のマウント部に設けられた複数のバヨネット爪部の少なくとも一つの周長をＬａ１、前記第１のマウント部に設けられた複数のバヨネット爪逃げ部の少なくとも一つの周長をＬｂ１、前記レンズマウント部に設けられた複数のバヨネット爪部の少なくとも一つの周長をＬａ２、および、前記カメラマウント部に設けられた複数のバヨネット爪逃げ部の少なくとも一つの周長をＬｂ２とするとき、Ｌｂ２≧Ｌａ１＞Ｌｂ１≧Ｌａ２の関係を満足することを特徴とするカメラシステム。
【請求項１４】
カメラ本体と、
レンズ装置と、
前記カメラ本体と前記レンズ装置との間に装着可能なアクセサリと、を有するカメラシステムであって、
前記アクセサリは、前記レンズ装置に装着可能な第１のマウント部と、前記カメラ本体に装着可能な第２のマウント部と、を有し、
前記レンズ装置は、前記アクセサリの前記第１のマウント部と嵌り合う構造を有するレンズマウント部を有し、
前記カメラ本体は、前記アクセサリの前記第２のマウント部と嵌り合う構造を有するカメラマウント部を有し、
前記第１のマウント部に設けられた複数のバヨネット爪部の少なくとも一つの周長をＬａ１、前記第２のマウント部に設けられた複数のバヨネット爪逃げ部の少なくとも一つの周長をＬｂ１、前記カメラマウント部に設けられた複数のバヨネット爪部の少なくとも一つの周長をＬａ２、および、前記レンズマウント部に設けられた複数のバヨネット爪逃げ部の少なくとも一つの周長をＬｂ２とするとき、Ｌｂ２≧Ｌａ１＞Ｌｂ１≧Ｌａ２の関係を満足することを特徴とするカメラシステム。
【発明の詳細な説明】
【技術分野】
【０００１】
本発明は、交換レンズとカメラ本体との間に装着可能なアクセサリおよびこれを用いたカメラシステムに関する。
【背景技術】
【０００２】
従来、一眼レフカメラ等のレンズ交換式カメラシステムのアクセサリとして、カメラ本体と交換レンズとの間に装着可能な中間アダプタ（アダプタ、アクセサリ）が知られている。このような中間アダプタは、その前面において交換レンズに装着可能なマウント、および、その後面にカメラ本体に装着可能なマウントを有する。前面のマウントと後面のマウントは互いに装着可能に構成されている場合があり、そのような中間アダプタは中間アダプタ同士で連結して取り付けることが可能である。しかし、カメラ本体と交換レンズとの間に複数の中間アダプタを連結すると、中間アダプタ内の接触抵抗による電圧降下によりカメラシステムの正常な動作を保証することができない。
【０００３】
特許文献１には、カメラ本体または交換レンズの一方が装着された状態でのみカメラ本体または交換レンズの他方を装着可能に構成することにより、接点部で生じるショートを防止するアダプタ装置が開示されている。特許文献２には、バックフォーカスが一定以下の交換レンズや中間アダプタの装着をカメラ本体や中間アダプタにより物理的に制限するカメラシステムが開示されている。
【先行技術文献】
【特許文献】
【０００４】
【特許文献１】特開平７−１８１５８２号公報
【特許文献２】特開平９−２５１１８２号公報
【発明の概要】
【発明が解決しようとする課題】
【０００５】
しかしながら、特許文献１および特許文献２に開示された構成では、中間アダプタ同士の連結を制限することができない。
【０００６】
そこで本発明は、アクセサリ同士の連結を制限することが可能なアクセサリおよびカメラシステムを提供することを目的とする。
【課題を解決するための手段】
【０００７】
本発明の一側面としてのアクセサリは、カメラ本体とレンズ装置との間に装着可能なアクセサリであって、前記レンズ装置に装着可能な第１のマウント部と、前記カメラ本体に装着可能な第２のマウント部と、前記第１のマウント部および前記第２のマウント部のそれぞれに設けられ、前記アクセサリと他のアクセサリとの連結を制限する連結制限部材とを有する。
【０００８】
本発明の他の側面としてのアクセサリは、カメラ本体とレンズ装置との間に装着可能なアクセサリであって、外装環と、前記レンズ装置に装着可能な第１のマウント部と、前記カメラ本体に装着可能な第２のマウント部と、前記外装環からカメラ本体側またはレンズ装置側に向けて突出し、前記アクセサリと他のアクセサリとの連結を制限する第３の凸部と有する。
【０００９】
本発明の他の側面としてのカメラシステムは、カメラ本体と、レンズ装置と、前記アクセサリとを有する。
【００１０】
本発明の他の目的及び特徴は、以下の実施形態において説明される。
【発明の効果】
【００１１】
本発明によれば、アクセサリ同士の連結を制限することが可能なアクセサリおよびカメラシステムを提供することができる。
【図面の簡単な説明】
【００１２】
【図１】第１の実施形態におけるアダプタ本体の斜視図である。
【図２】各実施形態におけるカメラシステムの側面図である。
【図３】２つのアダプタ本体を連結して交換レンズとカメラ本体との間に装着した状態を示す側面図である。
【図４】第１の実施形態における交換レンズの斜視図および側面図である。
【図５】第１の実施形態におけるカメラ本体の斜視図および正面図である。
【図６】第１の実施形態におけるアダプタ本体の前面図、側面図、および、後面図である。
【図７】第１の実施形態におけるアダプタ本体の分解斜視図である。
【図８】第１の実施形態におけるアダプタ本体の分解斜視図である。
【図９】図６中のＡ−Ａ断面での断面図である。
【図１０】図６中のＢ−Ｂ断面での断面図である。
【図１１】図６中のＣ−Ｃ断面での断面図である。
【図１２】第１の実施形態における２つのアダプタ本体を連結した際の様子を示す図である。
【図１３】図１２（ｃ）中のＧ−Ｇ断面での回転規制ピンと回転規制凹部との関係を示す概略図である。
【図１４】第２の実施形態におけるアダプタ本体の斜視図である。
【図１５】第２の実施形態におけるアダプタ本体の前面図、側面図、および、後面図である。
【図１６】第３の実施形態におけるアダプタ本体の斜視図である。
【図１７】第３の実施形態における交換レンズの斜視図である。
【図１８】第３の実施形態における交換レンズの上面図および側面図である。
【図１９】第３の実施形態におけるカメラシステムの斜視図である。
【図２０】第３の実施形態におけるカメラシステムの上面図および斜視図である。
【図２１】第３の実施形態における２つのアダプタ本体の連結時の様子を示す側面図である。
【図２２】第４の実施形態におけるアダプタ本体の斜視図である。
【図２３】第４の実施形態におけるカメラ本体の斜視図および正面図である。
【図２４】第４の実施形態におけるカメラシステムの斜視図である。
【図２５】第４の実施形態における２つのアダプタ本体の連結時の様子を示す側面図である。
【図２６】第５の実施形態におけるアダプタ本体と交換レンズおよびカメラ本体との装着時のマウントの様子を示す図である。
【図２７】第５の実施形態における２つのアダプタ本体の連結時のマウントの様子を示す図である。
【発明を実施するための形態】
【００１３】
以下、本発明の実施形態について、図面を参照しながら詳細に説明する。
【００１４】
（第１の実施形態）
まず、図１乃至図１３を参照して、本発明の第１の実施形態について説明する。図１（ａ）、（ｂ）は、本実施形態におけるアダプタ本体（アクセサリ）３をそれぞれ異なる方向から見た斜視図である。図２は、本実施形態におけるカメラシステム１０の側面図である。図４（ａ）は本実施形態における交換レンズ（レンズ装置）２の斜視図、図４（ｂ）は交換レンズ２の側面図である。図５（ａ）は本実施形態におけるカメラ本体１の斜視図、図５（ｂ）はカメラ本体１の側面図である。
【００１５】
図２に示されるように、カメラシステム１０は、カメラ本体１と、交換レンズ２と、カメラ本体１と交換レンズ２との間に設けられたアダプタ本体３とを備えて構成される。アダプタ本体３は、カメラ本体１に対して着脱可能であるとともに、交換レンズ２に対して着脱可能である。アダプタ本体３は、カメラ本体１および交換レンズ２のそれぞれと電気的に接続可能である。カメラ本体１には、ＣＭＯＳセンサやＣＣＤセンサ等の撮像素子１４が設けられている。撮像素子１４は、交換レンズ２の撮像光学系を介して形成された光学像（被写体像）を光電変換して画像データを出力する。撮像光学系を構成する一部の光学素子は、光軸ＯＡに沿った方向に移動可能である。
【００１６】
図１（ａ）、（ｂ）に示されるように、アダプタ本体３は、レンズ側マウント３１およびカメラ側マウント３２を有する。レンズ側マウント３１は、レンズ側マウント爪部３１ａ、回転規制ピン３３、および、ロックピン３６４を有する。カメラ側マウント３２は、回転規制凹部３２ａ、カメラ側マウント爪部３２ｂ、および、カメラ側マウントロック凹部３２ｃを有する。図４（ａ）、（ｂ）に示されるように、交換レンズ２は、レンズマウント２１を有する。レンズマウント２１は、レンズマウント爪部２１ａおよび交換レンズロック凹部２１ｂを有する。図５（ａ）、（ｂ）に示されるように、カメラ本体１は、カメラマウント１１を有する。カメラマウント１１は、カメラマウント爪部１１ａを有する。レンズ側マウント爪部３１ａとレンズマウント爪部２１ａとが互いにバヨネット結合されることにより、アダプタ本体３が交換レンズ２に装着される。また、カメラ側マウント爪部３２ｂとカメラマウント爪部１１ａとが互いにバヨネット結合され、アダプタ本体３がカメラ本体１に装着される。
【００１７】
図６（ａ）はアダプタ本体３の前面図（レンズ側から見た図）、図６（ｂ）はアダプタ本体３の側面図、図６（ｃ）はアダプタ本体３の後面図（カメラ側から見た図）である。図７および図８は、アダプタ本体３の分解斜視図である。図９は、図６（ａ）中のＡ−Ａ面での断面図である。
【００１８】
外装環３４１は、ホルダー３４２に嵌合し、レンズ側マウント３１とカメラ側マウント３２とにより挟持されている。レンズ側マウント３１は、レンズ側マウント止めビス３１３によりホルダー３４２に対してビス止めされている。カメラ側マウント３２は、カメラ側マウント止めビス３２５によりホルダー３４２に対してビス止めされている。レンズ側マウント３１は、レンズ側マウントバネ３１１およびレンズ側防水マウントゴム３１２を挟持するように、ホルダー３４２に対してレンズ側マウント止めビス３１３によりビス止めされている。カメラ側マウント３２は、ウラブタ３２２をウラブタ３２２のパッチン爪により保持し、カメラ側防水マウントゴム３２１を挟持するようにホルダー３４２に対してカメラ側マウント止めビス３２５によりビス止めされている。カメラ側マウント３２は、接点ブロック３５７が接点ブロック止めビス３２３によりビス止めされている。またカメラ側マウント３２には、ストッパーピン３２４が螺合している。ストッパーピン３２４は、カメラマウント１１にカメラ側マウント３２が取り付けられる際の回転方向のストッパーを担っている。
【００１９】
鏡筒３５１には貫通穴が形成されており、その貫通穴に接点ピン３５３が挿入される。接点ピン３５３は、接点ピン付勢バネ３５４が鏡筒３５１に接点カバー止めビス３５６によりビス止めされた接点カバー３５５と接点ピン３５３との間で発生させる付勢力により、鏡筒３５１に対して付勢されている。鏡筒３５１は、鏡筒止めビス３５２により、ホルダー３４２に対してビス止めされている。接点カバー３５５には貫通穴が形成されており、その貫通穴から接点ピン３５３の後端部が出っ張っている。接点ピン３５３の後端部と接点ブロック３５７の電気接点部は、不図示の導線により接続されている。
【００２０】
図１０は、図６中のＢ−Ｂ断面での断面図であり、アンロックノブ３６１の位相での断面図を示している。図１０に示されるように、アンロックノブ３６１には、ノブ付勢バネ止めビス３６３によりノブ付勢バネ３６２がビス止めされている。ノブ付勢バネ３６２の付勢力により外装環３４１に対して内径側にアンロックノブ３６１が付勢された状態となり、防水を確保することができる。アンロックノブ３６１は、ロックピン３６４に設けられている切り欠き部に嵌るように構成されており、ロックピン３６４の軸方向の進退に連動する。ロックピン付勢バネ３６５は、ホルダー３４２とロックピン３６４との間で付勢力を発生させ、ロックピン３６４をレンズ側マウント３１から突出した状態に保っている。ロックピン３６４は、レンズ側マウント３１に設けられた貫通穴を通して突出している。
【００２１】
交換レンズ２にアダプタ本体３を装着する際に、レンズマウント２１とレンズ側マウント３１とをバヨネット結合する際の途中では、ロックピン付勢バネ３６５による付勢力が負けロックピン３６４がレンズ側マウント３１から非突出状態となる。バヨネット結合が完了した際に、ロックピン３６４は、交換レンズ２に形成されている交換レンズロック凹部２１ｂに嵌ることで、装着状態をロックすることができる。アダプタ本体３を交換レンズ２から取り外す場合、アンロックノブ３６１を操作することで、ロック状態を解除することができる。
【００２２】
図１１は、図６中のＣ−Ｃ断面での断面図であり、回転規制ピン３３の位相での断面図を示している。回転規制ピン３３とホルダー３４２との間には、付勢バネ３３１が設けられている。回転規制ピン３３は、付勢バネ３３１の付勢力により、レンズ側マウント３１から突出した状態となる。回転規制ピン３３は、レンズ側マウント３１に設けられた貫通穴を通して突出している。図１１（ａ）は、回転規制ピン３３が付勢バネ３３１の付勢力によりレンズ側マウント３１から突出した状態を示している。図１１（ｂ）は、付勢バネ３３１の付勢力が外部からの力に負けて回転規制ピン３３がレンズ側マウント３１に対して非突出である状態を示している。
【００２３】
次に、図１２および図１３を参照して、本実施形態のアダプタ本体３同士の連結防止（連結制限、連結規制）について説明する。図１２は、２つのアダプタ本体３を連結する際の様子を示す図である。図１２（ａ）は連結時に回転規制された状態での側面図、図１２（ｂ）は図１２（ａ）中のＥ−Ｅ断面での断面図、図１２（ｃ）は図１２（ｂ）中の範囲Ｆの拡大図をそれぞれ示す。図１３は、図１２（ｃ）中のＧ−Ｇ断面での回転規制ピン３３と回転規制凹部３２ａとの関係を示す概略図である。図１３（ｂ）は連結防止された状態を示し、図１３（ａ）は図１３（ｂ）よりも少し前の状態を示している。
【００２４】
図１２（ｂ）に示されるように、アダプタ本体３に対して別のアダプタ本体３が矢印Ｄの方向に回転取り付けされる。このとき、ロックピン３６４がカメラ側マウントロック凹部３２ｃに嵌る位置が連結完了位置になるが、その前に回転規制ピン３３がカメラ側マウント３２に設けられている回転規制凹部３２ａに嵌る。図１３（ａ）に示されるように、アダプタ本体３同士の連結のためにアダプタ本体３を矢印Ｄの方向に回転させると、回転規制ピン３３は回転規制凹部３２ａの斜面部を滑る。その後、図１３（ｂ）に示されるように、回転規制ピン３３は回転規制凹部３２ａに設けられた回転規制壁部３２ｄに当接する。回転規制ピン３３が回転規制壁部３２ｄに当接することにより、矢印Ｄの方向への回転取り付けが規制され、アダプタ本体３同士の連結を防止（制限、規制）することができる。
【００２５】
一方、交換レンズ２に対してアダプタ本体３を取り付ける際、レンズマウント２１には回転規制凹部３２ａに相当する構造は設けられていない。このため回転規制ピン３３は、レンズマウント２１により押し込まれた状態のままとなり、回転規制することはない。
【００２６】
このように本実施形態において、アクセサリは、カメラ本体１と交換レンズ２との間に装着可能なアダプタ本体３である。アクセサリは、第１のマウント部（レンズ側マウント３１）、第２のマウント（カメラ側マウント３２）、および、連結防止部材（連結制限部材、連結規制部材）を有する。第１のマウント部は交換レンズに装着可能であり、第２のマウント部はカメラ本体に装着可能である。連結防止部材は、第１のマウント部および第２のマウント部のそれぞれに設けられ、アクセサリと他のアクセサリとの連結を防止する。
【００２７】
好ましくは、連結防止部材は、アクセサリと他のアクセサリとを接触した状態で互いの回転を規制する回転規制部である。より好ましくは、回転規制部は、第１のマウント部に設けられた第１の凸部（回転規制ピン３３）、第１の凸部をレンズ装置側へ向けて付勢する第１の付勢部材（付勢バネ３３１）、および、第２のマウント部に設けられた第１の凹部（回転規制凹部３２ａ）を有する。そしてアクセサリと他のアクセサリとを接触した状態で互いに回転する際に、アクセサリの第１の凹部は、アクセサリの第１の凸部に対応する他のアクセサリの凸部に当接することにより、アクセサリと他のアクセサリとの連結を防止する。また本実施形態において、交換レンズのレンズマウント部（レンズマウント２１）には第１の凹部に対応する凹部が形成されておらず、アクセサリと交換レンズとを接触した状態で互いに回転する際に、第１の凸部は、第１の付勢部材に抗して押し込まれている。
【００２８】
本実施形態によれば、複数のアダプタ本体（中間アダプタ）３同士の連結を防止することができ、図３に示されるように２つのアダプタ本体３を連結した状態でカメラ本体１と交換レンズ２との間に２つのアダプタ本体３が接続されることはない。このため、カメラ本体１と交換レンズ２との間に複数の中間アダプタを連結して、中間アダプタ内の接触抵抗による電圧降下によりカメラシステムの正常な動作が保証できないという問題を防止することができる。また本実施形態のアダプタ本体によれば、カメラ本体および交換レンズに新たな形状や部品を追加する必要がないため、従来のカメラ本体および交換レンズに容易に対応可能である。なお本実施形態では、連結するアダプタ同士はアダプタ本体３同士であるものとして説明したが、これに限定されるものではない。例えば、本実施形態のアダプタ本体３のように内部に光学系を保持しないアダプタと内部に光学系を有するアダプタ等の他の種類のアダプタ同士の連結を防止する構成であってもよい。
【００２９】
（第２の実施形態）
次に、図１４および図１５を参照して、本発明の第２の実施形態について説明する。図１４（ａ）、（ｂ）は、本実施形態におけるアダプタ本体（アクセサリ）４をそれぞれ異なる方向から見た斜視図である。図１５（ａ）はアダプタ本体４の前面図（レンズ側から見た図）、図１５（ｂ）はアダプタ本体４の側面図、図１５（ｃ）はアダプタ本体４の後面図（カメラ側から見た図）である。なお本実施形態において、第１の実施形態と同じ部材については説明を省略する。
【００３０】
アダプタ本体４は、レンズ側マウント４１、カメラ側マウント４２、および、回転規制ピン４３を有する。レンズ側マウント４１は、第１の実施形態の回転規制凹部３２ａと同様の回転規制凹部４１ａを有する。回転規制ピン４３は、第１の実施形態と同様に、その内部に付勢バネ３３１を有する。回転規制ピン４３は、付勢バネ３３１の付勢力により、カメラ側マウント４２から突出した状態となる。回転規制ピン４３は、カメラ側マウント４２に形成された貫通穴を通して突出している。
【００３１】
次に、本実施形態のアダプタ本体４同士の連結防止について説明する。本実施形態において２つのアダプタ本体４を連結する際には、第１の実施形態と同様に、カメラ側マウント４２から突出した回転規制ピン４３がレンズ側マウント４１に設けられた回転規制凹部４１ａの不図示の回転規制壁部に当接する。回転規制ピン４３が回転規制壁部に当接する回転取り付けを規制することにより、２つのアダプタ本体４の連結を防止することができる。
【００３２】
一方、カメラ本体１に対してアダプタ本体４を取り付ける際、カメラマウント１１には回転規制凹部４１ａに相当する構造は設けられていない。このため回転規制ピン４３は、カメラマウント１１により押し込まれた状態のままとなり、回転規制することはない。
【００３３】
このように本実施形態において、アクセサリは、カメラ本体１と交換レンズ２との間に装着可能なアダプタ本体４であり、第１のマウント部（レンズ側マウント４１）、第２のマウント（カメラ側マウント４２）、および、連結防止部材を有する。第１のマウント部は交換レンズに装着可能であり、第２のマウント部はカメラ本体に装着可能である。連結防止部材は、第１のマウント部および第２のマウント部のそれぞれに設けられ、アクセサリと他のアクセサリとの連結を防止する。
【００３４】
好ましくは、連結防止部材は、アクセサリと他のアクセサリとを接触した状態で互いの回転を規制する回転規制部である。より好ましくは、回転規制部は、第２のマウント部に設けられた第２の凸部（回転規制ピン４３）、第２の凸部をカメラ本体側へ向けて付勢する第２の付勢部材（付勢バネ３３１）、および、第１のマウント部に設けられた第２の凹部（回転規制凹部４１ａ）を有する。そしてアクセサリと他のアクセサリとを接触した状態で互いに回転する際に、アクセサリの第２の凹部は、アクセサリの第２の凸部に対応する他のアクセサリの凸部に当接することにより、アクセサリと他のアクセサリとの連結を防止する。また本実施形態において、カメラ本体のカメラマウント部（カメラマウント１１）には第２の凹部に対応する凹部が形成されておらず、アクセサリとカメラ本体とを接触した状態で互いに回転する際に、第２の凸部は、第２の付勢部材に抗して押し込まれている。
【００３５】
本実施形態によれば、複数のアダプタ本体（中間アダプタ）４同士の連結を防止することができ、図３に示されるように２つのアダプタ本体を連結した状態でカメラ本体１と交換レンズ２との間に２つのアダプタ本体が接続されることはない。このため、カメラ本体１と交換レンズ２との間に複数の中間アダプタを連結して、中間アダプタ内の接触抵抗による電圧降下によりカメラシステムの正常な動作が保証できないという問題を防止することができる。また本実施形態のアダプタ本体によれば、カメラ本体および交換レンズに新たな形状や部品を追加する必要がないため、従来のカメラ本体および交換レンズに容易に対応可能である。なお本実施形態では、連結するアダプタ同士はアダプタ本体４同士であるものとして説明したが、これに限定されるものではない。例えば、本実施形態のアダプタ本体４のように内部に光学系を保持しないアダプタと内部に光学系を有するアダプタ等の他の種類のアダプタ同士の連結を防止する構成であってもよい。
【００３６】
（第３の実施形態）
次に、図１６乃至図２１を参照して、本発明の第３の実施形態について説明する。図１６（ａ）、（ｂ）は、本実施形態におけるアダプタ本体（アクセサリ）５をそれぞれ異なる方向から見た斜視図である。図１７は、本実施形態の交換レンズ６の斜視図である。図１８（ａ）は交換レンズ６の上面図、図１８（ｂ）は交換レンズ６の側面図である。図１９（ａ）、（ｂ）は、本実施形態におけるカメラシステム１０ａをそれぞれ異なる方向から見た斜視図である。図２０（ａ）はカメラシステム１０ａの上面図、図２０（ｂ）はカメラシステム１０ａの斜視図である。なお本実施形態において、第１の実施形態と同じ部材については説明を省略する。
【００３７】
図２０（ａ）、（ｂ）に示されるように、本実施形態におけるカメラシステム１０ａは、カメラ本体１、交換レンズ６、および、カメラ本体１と交換レンズ６との間に装着されたアダプタ本体５を備えて構成される。図１６（ａ）、（ｂ）に示されるように、アダプタ本体５は、レンズ側マウント５１、カメラ側マウント５２、および、外装環５３を有する。外装環５３には、装着規制凸部５３ａが一体的に形成されている。図１７に示されるように、交換レンズ６は、レンズマウント６１および交換レンズ外装環６２を有する。交換レンズ外装環６２には、規制逃げ凹部６２ａが形成されている。
【００３８】
第１の実施形態および第２の実施形態と同様に、レンズ側マウント５１とレンズマウント６１とが互いにバヨネット結合されることにより、アダプタ本体５は交換レンズ６に装着される。また、カメラ側マウント５２とカメラマウント１１とが互いにバヨネット結合されることにより、アダプタ本体５はカメラ本体１に装着される。
【００３９】
次に、本実施形態のアダプタ本体５同士の連結防止について説明する。図２１は、２つのアダプタ本体５を連結する際の様子を示す側面図である。図２１に示されるように、２つのアダプタ本体５の連結の際には、一方の外装環５３に形成されている装着規制凸部５３ａが他方に干渉するため、２つのアダプタ本体５を連結することができない。
【００４０】
一方、図１９および図２０に示されるように、交換レンズ６に対してアダプタ本体５を装着する際には、装着規制凸部５３ａを逃げるように形成されている規制逃げ凹部６２ａが交換レンズ６に設けられているため、互いに干渉することなく正常に装着可能である。
【００４１】
このように本実施形態において、アクセサリ（アダプタ本体５）は、外装環５３、第１のマウント部（レンズ側マウント５１）、第２のマウント部（カメラ側マウント５２）、および、第３の凸部（装着規制凸部５３ａ）を有する。第１のマウント部は交換レンズに装着可能であり、第２のマウント部はカメラ本体に装着可能である。第３の凸部は、外装環から交換レンズ側に向けて突出し、アクセサリと他のアクセサリとの連結を防止する。好ましくは、第３の凸部は、アクセサリが他のアクセサリと接触する際に他のアクセサリと干渉することにより、アクセサリと他のアクセサリとの連結を防止する。また本実施形態において、交換レンズのレンズマウント部（レンズマウント６１）には、第３の凸部との干渉を避けるための第３の凹部（規制逃げ凹部６２ａ）が形成されている。
【００４２】
本実施形態によれば、複数のアダプタ本体（中間アダプタ）５同士の連結を防止することができ、図３に示されるように２つのアダプタ本体を連結した状態でカメラ本体と交換レンズとの間に２つのアダプタ本体が接続されることはない。このため、カメラ本体と交換レンズとの間に複数の中間アダプタを連結して、中間アダプタ内の接触抵抗による電圧降下によりカメラシステムの正常な動作が保証できないという問題を防止することができる。また本実施形態は、アダプタ本体に新規に部品を追加することなく実施可能であるため、コストやスペースの点で有利である。また本実施形態では、交換レンズに対して本実施形態のアダプタ本体の取り付けを防止しようとする場合、規制逃げ凹部を設けないことで容易に対応可能である。なお本実施形態では、連結するアダプタ同士はアダプタ本体５同士であるものとして説明したが、これに限定されるものではない。例えば、本実施形態のアダプタ本体５のように内部に光学系を保持しないアダプタと内部に光学系を有するアダプタ等の他の種類のアダプタ同士の連結を防止する構成であってもよい。
【００４３】
（第４の実施形態）
次に、図２２乃至図２５を参照して、本発明の第４の実施形態について説明する。図２２（ａ）、（ｂ）は、本実施形態におけるアダプタ本体（アクセサリ）７をそれぞれ異なる方向から見た斜視図である。図２３（ａ）は本実施形態のカメラ本体８の斜視図、図２３（ｂ）はカメラ本体８の正面図である。図２４（ａ）、（ｂ）は、本実施形態におけるカメラシステム１０ｂをそれぞれ異なる方向から見た斜視図である。なお本実施形態において、第１の実施形態と同じ部材については説明を省略する。
【００４４】
図２４（ａ）、（ｂ）に示されるように、本実施形態におけるカメラシステム１０ｂは、カメラ本体８、交換レンズ２、および、カメラ本体８と交換レンズ２との間に装着されたアダプタ本体７を備えて構成される。図２２（ａ）、（ｂ）に示されるように、アダプタ本体７は、レンズ側マウント７１、カメラ側マウント７２、および、外装環７３を有する。外装環７３には、装着規制凸部７３ａが一体的に形成されている。図２３（ａ）、（ｂ）に示されるように、カメラ本体８は、カメラマウント８１および規制逃げ凹部８２を有する。
【００４５】
第１の実施形態および第２の実施形態と同様に、レンズ側マウント７１とレンズマウント２１とが互いにバヨネット結合されることにより、アダプタ本体７は交換レンズ２に装着される。また、カメラ側マウント７２とカメラマウント８１とが互いにバヨネット結合されることにより、アダプタ本体７はカメラ本体８に装着される。
【００４６】
次に、本実施形態のアダプタ本体７同士の連結防止について説明する。図２５は、２つのアダプタ本体７を連結する際の様子を示す側面図である。図２５に示されるように、２つのアダプタ本体７の連結の際には、一方の外装環７３に形成されている装着規制凸部７３ａが他方に干渉するため、２つのアダプタ本体７を連結することができない。
【００４７】
一方、図２４に示されるように、カメラ本体８に対してアダプタ本体７を装着する際には、装着規制凸部７３ａを逃げるように形成されている規制逃げ凹部８２がカメラ本体８に設けられているため、互いに干渉することなく正常に装着可能である。
【００４８】
このように本実施形態において、アクセサリ（アダプタ本体７）は、外装環７３、第１のマウント部（レンズ側マウント７１）、第２のマウント部（カメラ側マウント７２）、および、第３の凸部（装着規制凸部７３ａ）を有する。第１のマウント部は交換レンズに装着可能であり、第２のマウント部はカメラ本体に装着可能である。第３の凸部は、外装環からカメラ本体側に向けて突出し、アクセサリと他のアクセサリとの連結を防止する。好ましくは、第３の凸部は、アクセサリが他のアクセサリと接触する際に他のアクセサリと干渉することにより、アクセサリと他のアクセサリとの連結を防止する。また本実施形態において、カメラ本体のカメラマウント部（カメラマウント８１）には、第３の凸部との干渉を避けるための第４の凹部（規制逃げ凹部８２）が形成されている。
【００４９】
本実施形態によれば、複数のアダプタ本体（中間アダプタ）７同士の連結を防止することができ、図３に示されるように２つのアダプタ本体を連結した状態でカメラ本体と交換レンズとの間に２つのアダプタ本体が接続されることはない。このため、カメラ本体と交換レンズとの間に複数の中間アダプタを連結して、中間アダプタ内の接触抵抗による電圧降下によりカメラシステムの正常な動作が保証できないという問題を防止することができる。また本実施形態は、アダプタ本体に新規に部品を追加することなく実施可能であるため、コストやスペースの点で有利である。また本実施形態では、カメラ本体に対して本実施形態のアダプタ本体の取り付けを防止しようとする場合、規制逃げ凹部を設けないことで容易に対応可能である。なお本実施形態では、連結するアダプタ同士はアダプタ本体７同士であるものとして説明したが、これに限定されるものではない。例えば、本実施形態のアダプタ本体７のように内部に光学系を保持しないアダプタと内部に光学系を有するアダプタ等の他の種類のアダプタ同士の連結を防止する構成であってもよい。
【００５０】
（第５の実施形態）
次に、図２６および図２７を参照して、本発明の第５の実施形態について説明する。なお本実施形態において、第１の実施形態と同じ部材については説明を省略する。
【００５１】
図２６は、本実施形態のアダプタ本体（不図示）と交換レンズ（不図示）およびカメラ本体（不図示）との装着時のマウントの様子を示す図である。図２６（ａ）は交換レンズにアダプタ本体を装着する際のマウント、図２６（ｂ）はカメラ本体にアダプタ本体を装着する際のマウントをそれぞれ示している。
【００５２】
不図示の交換レンズが有するレンズマウント１０１は第１の実施形態のレンズマウント２１に相当し、不図示のアダプタ本体が有するレンズ側マウント２０１は第１の実施形態のレンズ側マウント３１に相当する。不図示のアダプタ本体が有するカメラ側マウント２０２は第１の実施形態のカメラ側マウント３２に相当し、不図示のカメラ本体が有するカメラマウント３０１は第１の実施形態のカメラマウント１１に相当する。
【００５３】
図２６（ａ）に示されるように、交換レンズが有するレンズマウント１０１のある位相のバヨネット爪部の周長（周方向の長さ）はＬａ２である。また、アダプタ本体が有するレンズ側マウント２０１の周長Ｌａ２のバヨネット爪部に対応するバヨネット爪逃げ部の周長はＬｂ１である。このとき、Ｌｂ１≧Ｌａ２の関係にあり、交換レンズに対してアダプタ本体が装着可能である。
【００５４】
図２６（ｂ）に示されるように、アダプタ本体が有するカメラ側マウント２０２のある位相のバヨネット爪部の周長はＬａ１である。また、カメラ本体が有するカメラマウント３０１の周長Ｌａ１のバヨネット爪部に対応するバヨネット爪逃げ部の周長はＬｂ２である。このとき、Ｌｂ２≧Ｌａ１の関係にあり、カメラ本体に対してアダプタ本体が装着可能である。
【００５５】
次に、本実施形態のアダプタ本体同士の連結防止について説明する。図２７（ａ）は２つのアダプタ本体を連結する際のマウントの様子を示す図であり、図２７（ｂ）は図２７（ａ）中の領域Ｈの拡大図である。
【００５６】
図２７（ａ）に示されるように、アダプタ本体同士を連結する際しようとすると、レンズ側マウント２０１とカメラ側マウント２０２とがバヨネット結合されることになる。しかしながら、本実施形態においてレンズ側マウント２０１のバヨネット爪逃げ部の周長Ｌｂ１はカメラ側マウント２０２のバヨネット爪部の周長Ｌａ１よりも小さい。換言すると、Ｌａ１＞Ｌｂ１の関係にある。したがって、図２７（ｂ）中の領域Ｉの範囲が干渉し、本実施形態のアダプタ本体同士の連結が防止される。
【００５７】
本実施形態のカメラ本体と交換レンズおよびアダプタ本体のバヨネット爪部およびバヨネット爪逃げ部の関係を示すと、Ｌｂ２≧Ｌａ１＞Ｌｂ１≧Ｌａ２となる。このように、交換レンズの周長Ｌａ２のバヨネット爪部は、カメラ本体の周長Ｌｂ２のバヨネット爪逃げ部よりも小さい（Ｌｂ２＞Ｌａ２）。このため、交換レンズをカメラ本体に装着する際には、干渉することなく装着可能である。
【００５８】
このように本実施形態において、アクセサリは、交換レンズに装着可能な第１のマウント部（レンズ側マウント２０１）と、カメラ本体に装着可能な第２のマウント部（カメラ側マウント２０２）とを有する。交換レンズは、アクセサリの第１のマウント部と嵌り合う構造を有するレンズマウント部（レンズマウント１０１）を有する。カメラ本体は、アクセサリの第２のマウント部と嵌り合う構造を有するカメラマウント部（カメラマウント３０１）を有する。第２のマウント部に設けられた複数のバヨネット爪部の少なくとも一つの周長をＬａ１とし、第１のマウント部に設けられた複数のバヨネット爪逃げ部の少なくとも一つの周長をＬｂ１とする。また、レンズマウント部に設けられた複数のバヨネット爪部の少なくとも一つの周長をＬａ２とし、カメラマウント部に設けられた複数のバヨネット爪逃げ部の少なくとも一つの周長をＬｂ２とする。このとき、Ｌｂ２≧Ｌａ１＞Ｌｂ１≧Ｌａ２の関係を満足する。
【００５９】
または、本実施形態において、第１のマウント部に設けられた複数のバヨネット爪部の少なくとも一つの周長をＬａ１とし、第２のマウント部に設けられた複数のバヨネット爪逃げ部の少なくとも一つの周長をＬｂ１とする。また、カメラマウント部に設けられた複数のバヨネット爪部の少なくとも一つの周長をＬａ２とし、レンズマウント部に設けられた複数のバヨネット爪逃げ部の少なくとも一つの周長をＬｂ２とする。このとき、Ｌｂ２≧Ｌａ１＞Ｌｂ１≧Ｌａ２の関係を満足する
本実施形態によれば、複数のアダプタ本体（中間アダプタ）同士の連結を防止することができ、図３に示されるように２つのアダプタ本体を連結した状態でカメラ本体と交換レンズとの間に２つのアダプタ本体が接続されることはない。このため、カメラ本体と交換レンズとの間に複数の中間アダプタを連結して、中間アダプタ内の接触抵抗による電圧降下によりカメラシステムの正常な動作が保証できないという問題を防止することができる。また本実施形態は、アダプタ本体、交換レンズ、および、カメラ本体のマウントの爪部の長さ（周長）の関係のみでアダプタ同士の連結を防止することができるため、新たに部品を追加する必要がなくコストやスペースの点で有利である。加えて、交換レンズおよびカメラ本体に別途逃げ形状等を設ける必要がないため、部品自体の強度やスペースの点で有利である。
【００６０】
各実施形態によれば、アクセサリ同士の連結を制限することが可能なアクセサリおよびカメラシステムを提供することがでる。このため、カメラシステムの動作保証が可能となる。
【００６１】
以上、本発明の好ましい実施形態について説明したが、本発明はこれらの実施形態に限定されず、その要旨の範囲内で種々の変形及び変更が可能である。
【符号の説明】
【００６２】
３、４  アダプタ本体（アクセサリ）
３１、４１  レンズ側マウント（第１のマウント部）
３２、４２  カメラ側マウント（第２のマウント部）
３２ａ、４１ａ  回転規制凹部（連結制限部材）
３３、４３  回転規制ピン（連結制限部材）
【図１】
2020060637.tif 000003
【図２】
2020060637.tif 000004
【図３】
2020060637.tif 000005
【図４】
2020060637.tif 000006
【図５】
2020060637.tif 000007
【図６】
2020060637.tif 000008
【図７】
2020060637.tif 000009
【図８】
2020060637.tif 000010
【図９】
2020060637.tif 000011
【図１０】
2020060637.tif 000012
【図１１】
2020060637.tif 000013
【図１２】
2020060637.tif 000014
【図１３】
2020060637.tif 000015
【図１４】
2020060637.tif 000016
【図１５】
2020060637.tif 000017
【図１６】
2020060637.tif 000018
【図１７】
2020060637.tif 000019
【図１８】
2020060637.tif 000020
【図１９】
2020060637.tif 000021
【図２０】
2020060637.tif 000022
【図２１】
2020060637.tif 000023
【図２２】
2020060637.tif 000024
【図２３】
2020060637.tif 000025
【図２４】
2020060637.tif 000026
【図２５】
2020060637.tif 000027
【図２６】
2020060637.tif 000028
【図２７】
2020060637.tif 000029